(57)【要約】      （修正有）【課題】簡単な構造で、小型、操作性が良い歯科光診断装置用の各種プローブを提供する。【解決手段】歯科光診断装置用プローブが、歯部の表面画像及びその選択領域内の光断層画像を得るため、診断用信号の取得構成が光ファイバ型又は各種のバルク型で、手動又は多関節アーム端に連結され歯部への当接端が姿勢制御されるもの、診断信号の送信がワイヤレス型のもの、あるいは直線偏光手段を備えたもの、また形状が筒状を基本とするもの、ピストル状のもの、さらにプローブの外面カバー並びに診断の際のぶれを防止する機構を備える。【選択図】図１
2008302233.tif 000002
【特許請求の範囲】
【請求項１】
被検体の歯部に照明光を照射する照明光射出手段と、
前記照明光に基づき被検体の歯部で反射された反射光による表面画像を撮像レンズを通して撮像する手段と、
撮像された歯部の観察画像を表示する観察画像の表示手段と、
前記歯部に照射するための可視光線から普通赤外線の範囲の波長の低コヒーレント光の発生手段と、
該低コヒーレント光を信号光として前記歯部の選定された所定領域を走査し、
走査領域内の所定深部からの反射光と、前記信号光と僅少な周波数の差を有するあるいは、位相変調を与えた参照光との干渉によって、前記走査領域の光断層画像を取得するＯＣＴ手段とを備えてなる被検体の歯部を信号光により走査する歯科用光診断装置に備えられるプローブであって、
前記光断層画像を取得するための信号の取得構成がバルク型（空間伝搬型）であり、
該プローブの外形が、握持して自在に姿勢制御するための大直径の円筒と、
その前端部から前方に突設された小直径の半円筒と、
該小直径の半円筒の先端部側面又は正面に開設された計測用窓と、
前記大直径の円筒の基部より延設された信号線及びそれを被覆したチューブを備えてなる光歯科診断装置用プローブにおいて、
該プローブの大直径の円筒の内部に、
外部の本体より導入された低コヒーレント光を照射する光ファイバと、
ファイバの先端に配設されたレンズと、
該レンズの前方に配設されたビームスプリッタと、
該ビームスプリッタの下部よりプリズムを介して光路を直角に曲げられ、ミラーにより反射され、振動子及び空間伝搬路を有する参照光発生部と、
また、前記ビームスプリッタの上部より結像レンズを介して光断層画像並びに表面画像を受像する２次元のイメージセンサと、
前記光ファイバとビームスプリッタとレンズと結像レンズとミラーと振動子と空間伝搬路及びイメージセンサとで構成される光学系を配設した定盤と、
該定盤を前後に移動させ深さ方向の走査を行うための機構と、
前記小半円筒の内部に配設された歯部の表面画像取得用の光源と、
先端部の正面に計測用窓を備え、
あるいは、前記小半円筒先端に４５°の傾斜を持つミラーを配設し、先端部の下方に計測用窓を備えてなり、
信号光を面として歯部に照射し、その反射光より光断層画像を取得するものであることを特徴とする歯科光診断装置用プローブ。
【請求項２】
被検体の歯部に照明光を照射する照明光射出手段と、
前記照明光に基づき被検体の歯部で反射された反射光による表面画像を撮像レンズを通して撮像する手段と、
撮像された歯部の観察画像を表示する観察画像の表示手段と、
前記歯部に照射するための可視光線から普通赤外線の範囲の波長の低コヒーレント光の発生手段と、
該低コヒーレント光を信号光として前記歯部の選定された所定領域を走査し、
走査領域内の所定深部からの反射光と、前記信号光と僅少な周波数の差を有するあるいは、位相変調を与えた参照光との干渉によって、前記走査領域の光断層画像を取得するＯＣＴ手段とを備えてなる被検体の歯部を信号光により走査する歯科用光診断装置に備えられるプローブであって、
前記光断層画像を取得するための信号の取得構成がバルク型（空間伝搬型）であり、
該プローブの外形が、握持して自在に姿勢制御するための大直径の円筒と、
該円筒の前端と一体でその前端部から前方に突設された漏斗状の中空円錐体と、
該円錐体の先端に配設された計測用窓、及びその先端部が４５°に曲折された診断用イメージファイバの基部が着脱可能に挿着される挿着部を備えてなり、
前記大直径の円筒の基部より延設された信号線及びそれを被覆したチューブを備えてなる光歯科診断装置用プローブにおいて、
該プローブの大直径の円筒の内部に、
低コヒーレント光を発する光源と、同光を伝搬する光ファイバと、
光ファイバの先端に配設されたレンズと、
該レンズの前方に配設されたビームスプリッタと、
該ビームスプリッタの下部よりプリズムを介して光路を直角に曲げられ、ミラーにより反射され、振動子及び空間伝搬路を有する参照光発生部と、
また、前記ビームスプリッタの上部より結像レンズを介して光断層画像を受像する２次元のイメージセンサと、
前記光ファイバとビームスプリッタとレンズと結像レンズとミラーと振動子と空間伝搬路及びイメージセンサとで構成される光学系を配設した定盤と、
該定盤を前後に移動させ深さ方向の走査を行うための機構と、
前記円錐体の先端部に配設され、歯部の表面画像を撮像するためのビームスプリッタと、表面画像取得用のカメラ及び該カメラ用の光源とを備えてなり、
信号光を面として歯部に照射し、その反射光より光断層画像を取得するものであることを特徴とする歯科光診断装置用プローブ。
【請求項３】
請求項１又は２に記載のバルク型診断用プローブが、前記大直径の円筒の基部外周に回動可能なリング状の回動部を配設し、該リング状の回動部の側面に多関節アームの先端部を固設して、それらの移動により自在に姿勢制御し、かつ所要位置に停止させるようにしたものであることを特徴とする歯科光診断装置用プローブ
【請求項４】
バルク型診断用プローブにおいて、
有底円筒部及び横設円筒部の内部に、
低コヒーレント光を発する光源と、光を伝搬する光ファイバと、
ファイバの先端に配設されたレンズと、
該レンズの前方に配設された光路を直角に変える直角プリズムと、
該プリズムの前方に配設されたビームスプリッタと、
該ビームスプリッタにより下部に送られ、振動子及び空間伝搬路を有する参照光発生部と、
また、前記ビームスプリッタの上部より結像レンズを介して光断層画像を受像する２次元のイメージセンサと、
前記光源とレンズとプリズムと参照光発生部とビームスプリッタとイメージセンサ等で構成される光学系を配設した定盤と、
該定盤を前後に移動させ深さ方向の走査を行うための機構と、
前記ビームスプリッタからの信号光を、前記回動自在の小直径の半円筒内の先端部に配設され下方に送り、かつ歯部からの反射光を取得すると共に、表面画像を撮像するためのビームスプリッタと、
あるいは、前記ビームスプリッタからの信号光を、前記回動自在の小直径の半円筒内の先端部に配設され前方に送り、かつ歯部からの反射光を取得すると共に、表面画像を撮像するためのビームスプリッタと、
表面画像取得用のカメラ及び該カメラ用の光源と、
前記回動自在の小直径の半円筒の先端部側面に取り付けられる上下左右いずれの方向にも向けることができる計測用窓、又は正面に開設された計測用窓と、
前記大口径の角筒の基部より延設された信号線及びそれを被覆したチューブ並びに、
前記垂直の有底円筒部の内部には、イメージセンサ（検出器）からの信号の増幅器と、参照光との干渉信号の復調器と、信号のＡ／Ｄ変換器よりなる信号処理部と、
画像処理及び走査制御用コンピュータと、
上記画像信号を外部に送出する無線送信機等を有するワイヤレス型であり、
あるいは、前記垂直の有底円筒部の内部に送信機を含まず、コンピュータからの信号は前記横設された円筒の基部から信号線により外部に送出される手段を有し、前記ピストル状のプローブの内部に表示を除く光診断装置一式を備えてなることを特徴とする歯科光診断装置用プローブ。
【請求項５】
歯科光診断装置用プローブにおいて、
計測用窓の配置方向設定及び使用後に消毒されるための、プローブに着脱されるプローブカバーを備え、同カバーが、
前記大直径の円筒又は角筒とその前端部から前方に突設された小直径の半円筒に対して、あるいは、前記突設された小直径の半円筒部に対して、
各形状に沿って密接し、かつ着脱できる形状を備え、
また、前記カバーの先端部側面又は正面には計測用窓が配設されてなり、
照射方向に対応して交換取着が可能であり、
そして、使用後は、取り外して消毒できることを特徴とする請求項１〜４のいずれか１項に記載の歯科光診断装置用プローブ。
【請求項６】
歯科光診断装置用プローブにおいて、
装着時にプローブ本体を衝撃より防止し、かつ計測用窓の配置方向設定のため、プローブに着脱され、使用後は消毒を行うためのプローブカバーを備え、同カバーが、
前記大直径の円筒又は角筒とその前端部から前方に突設された小直径の半円筒に対して、あるいは、前記突設された小直径の半円筒部に対して、各形状に沿って密接する緩衝材と、その上に重ねて設けられた外面カバーの２層よりなり、
また、前記カバーの先端部側面又は正面には計測用窓が配設されてなり、
照射方向に対応して交換取着が可能であり、
そして、使用後は、取り外して消毒できることを特徴とする請求項１〜４のいずれか１項に記載の歯科光診断装置用プローブ。
【請求項７】
歯科光診断装置用プローブにおいて、
歯部に当接するプローブの先端部のぶれを防止する機構を備え、同機構が、
前記プローブカバーの計測用窓の前後にバキュームにより吸引される吸盤、又は弾力性を有する防振盤を有し、
また、カバーは手動により前後に調節設定できる機構を備えてなり、
目的とする歯部の前後の適切な位置に前記吸盤又は防振盤を移動後固定させることを特徴とする請求項５又は６に記載の歯科光診断装置用プローブ。
【発明の詳細な説明】
【技術分野】
【０００１】
本発明は、歯科診療における診断装置に係り、特にＯＣＴ（Ｏｐｔｉｃａｌ Ｃｏｈｅｒｅｎｃｅ Ｔｏｍｏｇｒａｐｈｙ）装置による歯科光診断装置用のプローブに関する。
【背景技術】
【０００２】
従来の歯科診療における診断装置及びその方式は、例えば、Ｘ線像、ランプ照射による目視、探針、レーザ励起による蛍光計測、根管長測定、レーザドップラ血流計測、三次元Ｘ線ＣＴ等の手段によっていた。
また、前記ＯＣＴ装置の生体における診断のための使用例は、例えば眼科においては、眼底網膜下の詳細構造の光断層画像を取得するために用いられている。
【発明の開示】
【発明が解決しようとする課題】
【０００３】
しかしながら、上記の各項の診断は下記のような問題点があった。
例えばＸ線像による診断は侵襲の問題があり、他の計測手段も正確性に欠ける点があった。
また、前記眼科におけるＯＣＴ装置の使用例は、生体測定の対象が水、血液、脂肪などからなる軟組織であり、かつ患部の上面は空間に開放されているため測定も容易で、装置化も早期に行われている。
一方歯科においては、測定の対象が歯部であり、歯部は象牙質、エナメル質からなる硬組織と、歯肉部の前記軟組織であり、さらに歯の周囲の組織とで構成されている。
そして、歯列が存在する口腔内の使用できる空間は狭小であり、かつ形状も個人差が大である。
したがって、前記歯部の硬軟両組織の所定の深度において反射した反射光を測定する前記ＯＣＴ装置では、歯部の表面に当接して適合波長が選択された低コヒーレンス光を照射し、かつ反射光を受光するための、装置端部のプローブ（ハンドピース）の形状と、その内部構造及び操作性とが特に重要である。
本発明は、上述の諸課題を解決する無侵襲で高分解能を有する歯科光診断装置用の各種プローブを提供する。
【課題を解決するための手段】
【０００４】
上記に鑑み本発明者等は、鋭意実験研究の結果、次の手段により上記課題を解決した。
（１）被検体の歯部に照明光を照射する照明光射出手段と、前記照明光に基づき被検体の歯部で反射された反射光による表面画像を撮像レンズを通して撮像する手段と、撮像された歯部の観察画像を表示する観察画像の表示手段と、前記歯部に照明光を照射するための所定の低コヒーレント光の発生手段と、該低コヒーレント光を信号光として前記歯部の選定された所定領域を走査し、走査領域内の所定深部からの反射光と、前記信号光と僅少な周波数の差を有する、あるいは位相変調を与えた参照光との干渉によって、前記走査領域の光断層画像を取得するＯＣＴ手段とを備えてなる歯科光診断装置に備えられるプローブであって、前記診断用信号の取得構成が光ファイバによる光ファイバ型であり、該光ファイバ型に使用される先端部が口腔内の歯部に当接する診断用プローブの外形が、握持して自在に姿勢制御するための大直径の円筒と、その前端部から前方に突設された小直径の半円筒と、該小直径の半円筒の先端部側面又は正面に開設された計測用窓と、前記大直径の円筒の基部より延設された光ファイバと信号線及びそれを被覆したチューブとを備えてなり、又は、前記大直径の円筒の基部外周に回動可能なリングを配設し、該リングの側面に多関節アームの先端部を固設して、その移動により自在に姿勢制御しかつ、所要位置に停止させるようにしたことを特徴とする歯科光診断装置用プローブ。
【０００５】
（２）光ファイバ型診断用プローブの大直径の円筒の内部に、外部の本体より導入された信号光を照射する光ファイバと、該光ファイバの先端に配設されたレンズと、該レンズの前方に配設され光路を直角に曲げるための直角プリズムと、該照射光を受け回転しながら前方に集光光を照射する横方向走査用のポリゴンミラーと、前記、光ファイバとレンズとポリゴンミラーの光学系を配設した定盤と、
該定盤を前後に移動させ深さ方向の走査を行うための機構と、あるいは、小直径の半円筒内に配設され、前記信号光を前方に送り、かつ歯部からの反射光を取得すると共に、表面画像を撮像するためのビームスプリッタと、表面画像取得用のカメラ及び該カメラ用の光源とを備えてなり、信号光をポイントとして歯部に照射し、その反射光より光断層画像を取得するものであることを特徴とする前項（１）に記載の歯科診断装置用プローブ。
【０００６】
（３）光ファイバ型診断用プローブの大直径の円筒及び小直径半円筒の内部に、深さ方向の走査を外部の本体にて行う信号光を照射する光ファイバと、該光ファイバの先端に配設されたレンズと、該レンズの前方に配設され前記信号光を下方に送り、かつ歯部の表面画像を撮像するためのビームスプリッタと、表面画像取得用のカメラ及び該カメラ用の光源とで構成される全光学系を配設した定盤と、
該定盤を前後に移動させ横方向の走査を行うための機構と、上記の移動機構に対応した幅広い計測用窓を備えてなり、信号光をポイントとして歯部に照射し、その反射光より光断層画像を取得するものであることを特徴とする前項（１）に記載の歯科光診断装置用プローブ。
【０００７】
（４）被検体の歯部に照明光を照射する照明光射出手段と、前記照明光に基づき被検体の歯部で反射された反射光による表面画像を撮像レンズを通して撮像する手段と、撮像された歯部の観察画像を表示する観察画像の表示手段と、前記歯部に照明光を照射するための所定の低コヒーレント光の発生手段と、該低コヒーレント光を信号光として前記選定された歯部の所定領域を走査し、走査領域内の所定深部からの反射光と、前記信号光と僅少な周波数の差を有する、あるいは位相変調を与えた参照光との干渉によって、前記走査領域の光断層画像を取得するＯＣＴ手段とを備えてなる被検体の歯部を信号光により走査する歯科用光診断装置に備えられるプローブであって、その診断用信号の取得構成がバルク型（空間伝搬型）であり、該バルク型に使用される先端部が口腔内の歯部に当接する診断用プローブの外形が、握持して自在に姿勢制御するための大直径の円筒と、その前端部から前方に突設された小直径の半円筒と、該小直径の半円筒の先端部側面又は正面に開設された計測用窓と、前記大直径の円筒の基部より延設された信号線及びそれを被覆したチューブを備えてなり、又は、前記大直径の円筒の基部外周に回動可能なリングを配設し、該リングの側面に多関節アームの先端部を固設して、その移動により自在に姿勢制御し、かつ所要位置に停止させるようにしたことを特徴とする歯科光診断装置用プローブ。
【０００８】
（５）前項（４）に記載のバルク型診断用プローブにおいて、大直径の円筒の内部に、低コヒーレント光を発する光源と、前記光源からの光を伝搬する光ファイバと、ファイバの先端に配設されたレンズと、該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部より結像レンズを介して光断層画像を受像する２次元のイメージセンサと、前記光源と光ファイバとビームスプリッタとレンズとイメージセンサと参照光発生部で構成される光学系を配設した定盤と、
該定盤を前後に移動させ深さ方向の走査を行うための機構と、前記小直径の半円筒内の先端部に配設され前記信号光を下方に送り、かつ歯部の表面画像を撮像するためのビームスプリッタと、表面画像取得用のカメラ及び該カメラ用の光源とを備え、あるいは、小直径の半円筒内の先端部に配設された前記面状の信号光を前方に送り、かつ歯部の表面画像を撮像するためのビームスプリッタと、小半円筒先端正面に計測用窓を備えてなり、信号光を面として歯部に照射し、その反射光より光断層画像を取得するものであることを特徴とする歯科光診断装置用プローブ。
【０００９】
（６）前記（４）に記載のバルク型診断用プローブの大直径の円筒の内部に、外部の本体より導入された低コヒーレント光を照射する光ファイバと、ファイバの先端に配設されたレンズと、該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部より結像レンズを介して光断層画像並びに表面画像を受像する２次元のイメージセンサと、前記光ファイバとビームスプリッタとレンズと結像レンズとミラーと振動子と空間伝搬路及びイメージセンサとで構成される光学系を配設した定盤と、該定盤を前後に移動させ深さ方向の走査を行うための機構と、前記小半円筒の内部に配設された歯部の表面画像取得用の光源と、先端部の正面に計測用窓を備え、あるいは、前記小半円筒先端に４５°の傾斜を持つミラーを配設し、先端部の下方に計測用窓を備えてなり、信号光を面として歯部に照射し、その反射光より光断層画像を取得するものであることを特徴とする歯科光診断装置用プローブ。
【００１０】
（７）前記（４）のバルク型診断用プローブにおいて、使用される先端部が口腔内の歯部に当接する診断用プローブの外形が、握持して自在に姿勢制御するための大直径の円筒と、該円筒の前端と一体でその前端部から前方に突設された漏斗状の中空円錐体と、該円錐体の先端に配設された計測用窓、及びその先端部が４５°に曲折された診断用イメージファイバの基部が着脱可能に挿着される挿着部を備えてなり、また、前記大直径の円筒の内部に、低コヒーレント光を発する光源と、同光を伝搬する光ファイバと、ファイバの先端に配設されたレンズと、
該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部より結像レンズを介して光断層画像を受像する２次元のイメージセンサと、前記光ファイバとビームスプリッタとレンズと結像レンズとミラーと振動子と空間伝搬路及びイメージセンサとで構成される光学系を配設した定盤と、該定盤を前後に移動させ深さ方向の走査を行うための機構と、前記円錐体の先端部に配設され、歯部の表面画像を撮像するためのビームスプリッタと、表面画像取得用のカメラ及び該カメラ用の光源とを備えてなり、信号光を面として歯部に照射し、その反射光より光断層画像を取得するものであることを特徴とする歯科光診断装置用プローブ。
【００１１】
（８）バルク型診断用プローブが、該バルク型に使用される先端部が口腔内の歯部に当接する診断用プローブの外形が、握持して自在に姿勢制御するための大口径の角筒と、その前端部から前方に突設された小直径の半円筒と、該小直径の円筒の先端部側面又は正面に開設された計測用窓と、前記大直径の円筒の基部より延設された信号線及びそれを被覆したチューブを備えてなり、又は、前記大口径の角筒の基部外周に回動可能なリングを配設し、該リングの側面に多関節アームの先端部を固設して、その移動により自在に姿勢制御し、かつ所要位置に停止させる機構を備えてなり、また、大口径の角筒の内部に、低コヒーレント光を発する光源と、同光を伝搬する光ファイバと、ファイバの先端に配設されたレンズと、該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部よりシリンドリカルレンズを介して光断層画像を受像する１次元のイメージセンサと、前記ビームスプリッタの前方に配設されたシリンドリカルレンズと、
その下方に配設され振動方向により横方向に走査するガロバノメータスキャナと前記ガロバノメータスキャナからの反射光を前記小直径の半円筒方向に反射させるミラーとで構成される光学系を配設した定盤と、該定盤を前後に移動させ深さ方向の走査を行うための機構と、前記小直径の半円筒内に配設され、前記ミラーからの信号光を下方に送りかつ、歯部からの反射光を取得すると共に、表面画像を撮像するためのビームスプリッタと、あるいは、前記小直径の半円筒内に配設され、前記ミラーからの信号光を前方に送りかつ、歯部からの反射光を取得すると共に、表面画像を撮像するためのビームスプリッタと、表面画像取得用のカメラ及び該カメラ用の光源と、前記小直径の半円筒の先端部側面又は正面に開設された計測用窓と、前記大口径の角筒の基部より延設された信号線及びそれを被覆したチューブを備えてなることを特徴とする歯科光診断装置用プローブ。
【００１２】
（９）バルク型診断用プローブにおいて、先端部が口腔内の歯部に当接する診断用プローブの外形が、全体がピストル状をなし、握持して自在に姿勢制御するための垂直の有底円筒部と、該垂直円筒部の上端に中央部を接続して横設された円筒と、上記横設された円筒の前端部から前方に回動自在にピンにより保持され突設された小直径の半円筒と、該回動自在の小直径の半円筒の先端部側面に取り付けられることにより上下左右いずれの方向にも向けることができる計測用窓、又は正面に開設された計測用窓と、前記横設された円筒の基部より延設された信号線及びそれを被覆したチューブを備え、又は、前記横設された円筒の基部外周に回動可能なリングを配設し、該リングの側面に多関節アームの先端部を固設して、その移動により自在に姿勢制御しかつ、所要位置に停止させる機構を備えてなり、あるいは、前記垂直の有底円筒部内からの信号の外部への送出は、ワイヤレスとした独立型であることを特徴とする歯科光診断装置用プローブ。
【００１３】
（１０）バルク型診断用プローブにおいて、有底円筒部及び横設円筒部の内部に、
低コヒーレント光を発する光源と、光を伝搬する光ファイバと、ファイバの先端に配設されたレンズと、該レンズの前方に配設された光路を直角に変える直角プリズムと、該プリズムの前方に配設されたビームスプリッタと、該ビームスプリッタにより下部に送られ、振動子及び空間伝搬路を有する参照光発生部と、また、前記ビームスプリッタの上部より結像レンズを介して光断層画像を受像する２次元のイメージセンサと、前記光源とレンズとプリズムと参照光発生部とビームスプリッタとイメージセンサ等で構成される光学系を配設した定盤と、該定盤を前後に移動させ深さ方向の走査を行うための機構と、前記ビームスプリッタからの信号光を、前記回動自在の小直径の半円筒内の先端部に配設され下方に送り、かつ歯部からの反射光を取得すると共に、表面画像を撮像するためのビームスプリッタと、
【００１４】
あるいは、前記ビームスプリッタからの信号光を、前記回動自在の小直径の半円筒内の先端部に配設され前方に送り、かつ歯部からの反射光を取得すると共に、表面画像を撮像するためのビームスプリッタと、表面画像取得用のカメラ及び該カメラ用の光源と、前記回動自在の小直径の半円筒の先端部側面に取り付けられる上下左右いずれの方向にも向けることができる計測用窓、又は正面に開設された計測用窓と、前記大口径の角筒の基部より延設された信号線及びそれを被覆したチューブ並びに、前記垂直の有底円筒部の内部には、イメージセンサ（検出器）からの信号の増幅器と、参照光との干渉信号の復調器と、信号のＡ／Ｄ変換器よりなる信号処理部と、画像処理及び走査制御用コンピュータと、上記画像信号を外部に送出する無線送信機等を有するワイヤレス型であり、あるいは、前記垂直の有底円筒部の内部に送信機を含まず、コンピュータからの信号は前記横設された円筒の基部から信号線により外部に送出される手段を有し、前記ピストル状のプローブの内部に表示を除く光診断装置一式を備えてなることを特徴とする歯科光診断装置用プローブ。
【００１５】
（１１）被検体の歯部を照射するための、所定の低コヒーレント光の発生手段と、該低コヒーレント光を信号光として前記歯部の所定領域を走査し、走査領域内の所定深部からの反射光と、前記信号光と僅少な周波数の差を有する、あるいは位相変調を与えた参照光との干渉によって、前記走査領域の光断層画像を取得するＯＣＴ手段とを備えてなる歯科光診断装置に備えられるプローブであって、非偏光解消成分のみを抽出する直線偏光手段を備えてなることを特徴とする前項（１）〜（１０）のいずれか１項に記載の歯科光診断装置用プローブ。
（１２）被検体の歯部を照射するための、所定の低コヒーレント光の発生手段と、
該低コヒーレント光を信号光として前記歯部の所定領域を走査し、走査領域内の所定深部からの反射光と、前記信号光と僅少な周波数の差を有する、あるいは位相変調を与えた参照光との干渉によって、前記走査領域の光断層画像を取得するＯＣＴ手段とを備えてなる歯科光診断装置に備えられるプローブであって、直線偏光している低コヒーレント光の光源光路に配設され、直線偏光を円偏光とする４分の１波長板と、該円偏光を互いに直交する直線偏光に２分割する偏光ビームスプリッタと、参照光路に配設され、前記偏光ビームスプリッタからの直線偏光を円偏光とする４分の１波長板と、反射光路に配設され、前記偏光ビームスプリッタからの直線偏光を円偏光とする４分の１波長板と、該４分の１波長板に近接して配設された直線偏光板とを備え、非偏光解消成分のみを抽出する直線偏光手段を備えてなることを特徴とする前項（１）〜（１０）のいずれか１項に記載の歯科光診断装置用プローブ。
（１３）光診断装置用プローブにおいて、計測用窓の配置方向設定及び使用後に消毒されるための、プローブに着脱されるプローブカバーが、前記大直径の円筒又は角筒とその前端部から前方に突設された小直径の半円筒に対して、あるいは、前記突設された小直径の半円筒部に対して、各形状に沿って密接し、かつ着脱できる形状を備え、また、前記カバーの先端部側面又は正面には計測用窓が配設されてなり、照射方向に対応して交換取着が可能であり、そして、使用後は、取り外して消毒できることを特徴とする前項（１）〜（１２）のいずれか１項に記載の歯科光診断装置用プローブ。
（１４）光診断装置用プローブにおいて、装着時にプローブ本体を衝撃より防止し、かつ計測用窓の配置方向設定のため、プローブに着脱され、使用後は消毒を行うためのプローブカバーが、前記大直径の円筒又は角筒とその前端部から前方に突設された小直径の半円筒に対して、あるいは、前記突設された小直径の半円筒部に対して、各形状に沿って密接する緩衝材と、その上に重ねて設けられた外面カバーの２層よりなり、また、前記カバーの先端部側面又は正面には計測用窓が配設されてなり、照射方向に対応して交換取着が可能であり、
そして、使用後は、取り外して消毒できることを特徴とする前項（１）〜（１３）のいずれか１項に記載の歯科光診断装置用プローブ。
【００１６】
（１５）光診断装置用プローブにおいて、歯部に当接するプローブの先端部のぶれを防止する機構が、前記プローブカバーの計測用窓の前後にバキュームにより吸引される吸盤、又は弾力性を有する防振盤を有し、また、カバーは手動により前後に調節設定できる機構を備えてなり、目的とする歯部の前後の適切な位置に前記吸盤又は防振盤を移動後固定させることを特徴とする前項（１３）又は（１４）に記載の歯科光診断装置用プローブ。
【発明の効果】
【００１７】
本発明によれば次のような優れた効果を発揮することができる。
１、本発明の請求項１発明によれば、
撮像された歯部の観察画像を表示する観察画像の表示手段と、
走査領域の光断層画像を取得するＯＣＴ手段とを備えてなる歯科光診断装置に備えられるプローブであって、
診断用信号の取得構成が光ファイバ型であり、先端部が口腔内の歯部に当接する診断用プローブの外形が、大直径の円筒とその前端部から突設された小直径の半円筒と、半円筒の先端部側面又は正面に開設された計測用窓と、大直径の円筒の基部より延設された光ファイバと信号線及びそれを被覆したチューブとを備えてなり、又は、大直径の円筒の基部外周に回動可能なリングを配設し、その側面に多関節アームの先端部を固設して、その移動により自在に姿勢制御しかつ、所要位置に停止させるようにした。光学系の信号の送受信は光ファイバを使用するため構造を簡略化することができる。
また大直径の円筒の基部より延設された光ファイバと信号線及びそれを被覆したチューブとを備えたタイプは、施術者がプローブを握持して自在に診断位置を設定することができる。
さらに大直径の円筒の基部外周に回動可能なリングを配設し、その側面に多関節アームの先端部を固設してものは、その移動により自在に姿勢制御しかつ、所要位置に停止でき、かつプローブのぶれなく診断することができる。
【００１８】
２、請求項２の発明によれば、
光ファイバ型診断用プローブの大直径の円筒の内部に、外部の本体より導入された信号光を照射する光ファイバと、その先端に配設されたレンズと、レンズの前方に配設され垂直面に信号光を受け水平面に信号光を照射するための直角プリズムと、該照射光を受け回転しながら前方に集光光を照射する横方向走査用のポリゴンミラーと、光ファイバとレンズとポリゴンミラーの光学系を配設したプローブ内の光学系定盤と、プローブ内の光学系定盤を前後に移動させ深さ方向の走査を行うための機構と、小直径の半円筒内の先端部に配設され、信号光を下方に送りかつ、歯部からの反射光を取得するためのビームスプリッタを備えてなり、
あるいは、表面画像を撮像するためのビームスプリッタと、表面画像取得用のカメラ及びカメラ用の光源とを備えてなるため、
信号光をポイントとして歯部に照射し、その反射光より表面画像及び光断層画像を取得でき、構成が簡便である。
【００１９】
３、請求項３の発明によれば、
光ファイバ型診断用プローブの大直径の円筒及び小直径円筒の内部に、深さ方向の走査を外部の本体にて行う信号光を照射する光ファイバと、光ファイバの先端に配設されたレンズと、レンズの前方に配設され前記信号光を下方に送るためのビームスプリッタで構成される、全光学系を配設したプローブ内の光学系定盤と、該プローブ内の光学系定盤を前後に移動させ横方向の走査を行うための機構を備えてなり、
あるいは、歯部の表面画像を撮像するためのビームスプリッタと、
表面画像取得用のカメラ及びカメラ用の光源とで構成される全光学系を配設したプローブ内の光学系定盤と、該プローブ内の光学系定盤を前後に移動させ横方向の走査を行うための機構を備えてなり、上記の移動機構に対応した幅広い計測用窓を備えてなるため、信号光をポイントとして歯部に照射し、その反射光より表面画像及び光断層画像を取得でき、深さ方向の走査は本体側で行うため構成をより簡便にすることができる。
【００２０】
４、請求項４の発明によれば、
被検体の歯部に照明光を照射する照明光射出手段と、前記照明光に基づき被検体の歯部で反射された反射光による表面画像を撮像レンズを通して撮像する手段と、
撮像された歯部の表面画像を表示する表面画像の表示手段を備えてなり、
また、低コヒーレント光を信号光として前記歯部の所定領域を走査し、走査領域内の所定深部からの反射光と、前記信号光と僅少な周波数の差を有する、あるいは位相変調を与えた参照光との干渉によって、前記走査領域の光断層画像を取得するＯＣＴ手段とを備えてなる被検体の歯部を信号光により走査する歯科用光診断装置に備えられるプローブであって、
その診断用信号の取得構成がバルク型（空間伝搬型）であり、
該バルク型に使用される先端部が口腔内の歯部に当接する診断用プローブの外形が、握持して自在に姿勢制御するための大直径の円筒と、その前端部から前方に突設された小直径の半円筒と、該小直径の半円筒の先端部側面又は正面に開設された計測用窓と、前記大直径の円筒の基部より延設された信号線及びそれを被覆したチューブを備えてなり、又は、前記大直径の円筒の基部外周に回動可能なリングを配設し、該リングの側面に多関節アームの先端部を固設して、その移動により自在に姿勢制御しかつ、所要位置に停止させるようにしたため、信号光は空間を伝搬して送受信され、光学系は精度よく小型堅牢に作成することができる。  また、イメージセンサにより２次元画像を容易に得ることができる。
さらに、プローブの姿勢制御や保持方法による効果は前記請求項１と同じである。
【００２１】
５、請求項５の発明によれば、
バルク型診断用プローブにおいて、大直径の円筒の内部に、低コヒーレント光を発する光源と、前記光源からの光を伝搬する光ファイバと、ファイバの先端に配設されたレンズと、該レンズの前方に配設されたビームスプリッタと、該ビームスプリッタの下部よりプリズムを介して光路を直角に曲げられ、ミラーにより反射され、振動子及び空間伝搬路を有する参照光発生部と、
また、前記ビームスプリッタの上部より結像レンズを介して光断層画像を受像する２次元のイメージセンサと、前記光源と光ファイバとビームスプリッタとレンズとイメージセンサと参照光発生部で構成される光学系を配設したプローブ内の光学系定盤と、該プローブ内の光学系定盤を前後に移動させ深さ方向の走査を行うための機構と、前記小直径の半円筒内の先端部に配設され前記信号光を下方に送るためのビームスプリッタと、あるいは、小直径の半円筒内の先端部に配設された前記面状の信号光を前方に送るビームスプリッタ、あるいは、前記小直径の半円筒内の先端部に配設され前記信号光を下方に送りかつ、歯部の表面画像を撮像するためのビームスプリッタと、表面画像取得用のカメラ及び該カメラ用の光源とを備え、
又は、小直径の半円筒内の先端部に配設された前記面状の信号光を前方に送り、かつ歯部の表面画像を撮像するためのビームスプリッタとを、小半円筒先端正面に計測用窓を備えてなるため、
信号光を面として歯部に照射し、その反射光より光断層画像を取得するものであり、プローブの内部に各要素が集約して収納されている。
【００２２】
６、請求項６の発明によれば、
バルク型診断用プローブの大直径の円筒の内部に、外部の本体より導入された低コヒーレント光を照射する光ファイバと、ファイバの先端に配設されたレンズと、
該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部より結像レンズを介して光断層画像並びに表面画像を受像する２次元のイメージセンサと、前記光ファイバとビームスプリッタとレンズと結像レンズとミラーと振動子と空間伝搬路及びイメージセンサとで構成される光学系を配設したプローブ内の光学系定盤と、
該プローブ内の光学系定盤を前後に移動させ深さ方向の走査を行うための機構と、前記小半円筒の内部に配設された歯部の表面画像取得用の光源と、先端部の正面に計測用窓を備え、
あるいは、前記小半円筒先端に４５°の傾斜を持つミラーを配設し、先端部の下方に計測用窓を備えてなり、信号光を面として歯部に照射し、その反射光より光断層画像を取得するものであり、二次元センサは光断層画像並びに表面画像を共用して受像することができる。
【００２３】
７、請求項７の発明によれば、
バルク型診断用プローブにおいて、使用される先端部が口腔内の歯部に当接する診断用プローブの外形が、握持して自在に姿勢制御するための大直径の円筒と、該円筒の前端と一体でその前端部から前方に突設された漏斗状の中空円錐体と、該円錐体の先端に配設された計測用窓、及びその先端部が４５°に曲折された診断用イメージファイバの基部が着脱可能に挿着される挿着部を備えてなり、
また、前記大直径の円筒の内部に、低コヒーレント光を発する光源と、同光を伝搬する光ファイバと、ファイバの先端に配設されたレンズと、該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部より結像レンズを介して光断層画像を受像する２次元のイメージセンサと、前記光ファイバとビームスプリッタとレンズと結像レンズとミラーと振動子と空間伝搬路及びイメージセンサとで構成される光学系を配設したプローブ内の光学系定盤と、該プローブ内の光学系定盤を前後に移動させ深さ方向の走査を行うための機構を備えてなり、
あるいは、さらに前記円錐体の先端部に配設され、歯部の表面画像を撮像するためのビームスプリッタと、表面画像取得用のカメラ及び該カメラ用の光源とを備えてなり、
信号光を面として、先端部が４５°に曲折された診断用イメージファイバによって歯部に照射し、表面画像及び光断層画像を取得するものであり、前記湾曲したイメージファイバにより所定の歯部への当接が容易である。
【００２４】
８、請求項８の発明によれば、
バルク型診断用プローブが、該バルク型に使用される先端部が口腔内の歯部に当接する診断用プローブの外形が、握持して自在に姿勢制御するための大口径の角筒と、その前端部から前方に突設された小直径の半円筒と、該小直径の円筒の先端部側面又は正面に開設された計測用窓と、前記大直径の円筒の基部より延設された信号線及びそれを被覆したチューブを備えてなり、又は、前記大口径の角筒の基部外周に回動可能なリングを配設し、該リングの側面に多関節アームの先端部を固設して、その移動により自在に姿勢制御し、かつ所要位置に停止させる機構を備えてなり、また、大口径の角筒の内部に、低コヒーレント光を発する光源と、同光を伝搬する光ファイバと、ファイバの先端に配設されたレンズと、
該レンズの前方に配設されたビームスプリッタと、該ビームスプリッタの下部よりプリズムを介して光路を直角に曲げられ、ミラーにより反射され、振動子及び空間伝搬路を有する参照光発生部と、また、前記ビームスプリッタの上部よりシリンドリカルレンズを介して光断層画像を受像する１次元のイメージセンサと、前記ビームスプリッタの前方に配設されたシリンドリカルレンズと、
【００２５】
その下方に配設され振動方向により横方向に走査するガロバノメータスキャナと、前記ガロバノメータスキャナからの反射光を前記小直径の半円筒方向に反射させるミラーとで構成される光学系を配設したプローブ内の光学系定盤と、該プローブ内の光学系定盤を前後に移動させ深さ方向の走査を行うための機構と、前記小直径の半円筒内に配設され、前記ミラーからの信号光を下方に送るためのビームスプリッタを備え、歯部からの反射光を取得する又は、前記小直径の半円筒内に配設され、前記ミラーからの信号光を前方に送り、かつ歯部からの反射光を取得する機構を備えてなり、
あるいは、さらに表面画像を撮像するためのビームスプリッタと、表面画像取得用のカメラ及び該カメラ用の光源とを備えてなり、
前記小直径の半円筒の先端部側面又は正面に開設された計測用窓と、前記大口径の角筒の基部より延設された信号線及びそれを被覆したチューブを備えてなるため、プローブの大口径の角筒の中に、ガロバノメータスキャナを含む主光学系が収納されている。
【００２６】
９、請求項９の発明によれば、
バルク型診断用プローブにおいて、先端部が口腔内の歯部に当接する診断用プローブの外形が、全体がピストル状をなし、握持して自在に姿勢制御するための垂直の有底円筒部と、該垂直円筒部の上端に中央部を接続して横設された円筒と、上記横設された円筒の前端部から前方に回動自在にピンにより保持され突設された小直径の半円筒と、該回動自在の小直径の半円筒の先端部側面に取り付けられることにより上下左右いずれの方向にも向けることができる計測用窓、又は正面に開設された計測用窓と、前記横設された円筒の基部より延設された信号線及びそれを被覆したチューブを備え、又は、前記横設された円筒の基部外周に回動可能なリングを配設し、該リングの側面に多関節アームの先端部を固設して、その移動により自在に姿勢制御し、かつ所要位置に停止させる機構を備えてなり、あるいは、前記垂直の有底円筒部内からの信号の外部への送出は、ワイヤレスとした独立型であり、プローブの内部に光学系並びに信号処理、画像処理も含有するため、外形の取り扱いが容易でかつ、小型軽量である。
【００２７】
１０、請求項１０の発明によれば、
バルク型診断用プローブにおいて、有底円筒部及び横設円筒部の内部に、低コヒーレント光を発する光源と、光を伝搬する光ファイバと、ファイバの先端に配設されたレンズと、該レンズの前方に配設された光路を直角に変える直角プリズムと、該プリズムの前方に配設されたビームスプリッタと、該ビームスプリッタにより下部に送られ、振動子及び空間伝搬路を有する参照光発生部と、また、前記ビームスプリッタの上部より結像レンズを介して光断層画像を受像する２次元のイメージセンサと、前記光源とレンズとプリズムと参照光発生部とビームスプリッタとイメージセンサ等で構成される光学系を配設したプローブ内の光学系定盤と、該プローブ内の光学系定盤を前後に移動させ深さ方向の走査を行うための機構と、前記ビームスプリッタからの信号光を、前記回動自在の小直径の半円筒内の先端部に配設され下方に送りかつ、歯部からの反射光を取得する信号光を下方に送るためのビームスプリッタを備え、歯部からの反射光を取得する又は、前記小直径の半円筒内に配設され、前記ミラーからの信号光を前方に送り、かつ歯部からの反射光を取得する機構を備えてなり、
【００２８】
あるいは、さらに表面画像を撮像するためのビームスプリッタと、前記ビームスプリッタからの信号光を、前記回動自在の小直径の半円筒内の先端部に配設させ前方に送りかつ、歯部からの反射光を取得すると共に、表面画像を撮像するためのビームスプリッタと、表面画像取得用のカメラ及び該カメラ用の光源を備えてなり、
前記回動自在の小直径の半円筒の先端部側面に取り付けられる上下左右いずれの方向にも向けることができる計測用窓、又は正面に開設された計測用窓と、前記大口径の角筒の基部より延設された信号線及びそれを被覆したチューブ並びに、前記垂直の有底円筒部の内部には、イメージセンサ（検出器）からの信号の増幅器と、参照光との干渉信号の復調器と、信号のＡ／Ｄ変換器よりなる信号処理部と、画像処理及び走査制御用コンピュータと、上記画像信号を外部に送出する無線送信機等を有するワイヤレス型であり、あるいは、前記垂直の有底円筒部の内部に送信機を含まず、コンピュータからの信号は前記横設された円筒の基部から信号線により外部に送出される手段を有し、前記ピストル状のプローブの内部に表示を除く光診断装置一式を備えてなるため、
外形の取り扱いが容易でかつ小型軽量であり、またワイヤレス型とすることが可能である。
【００２９】
１１、請求項１１の発明によれば、
前記走査領域の光断層画像を取得するＯＣＴ手段とを備えてなる歯科光診断装置に備えられるプローブであって、非偏光解消成分のみを抽出する直線偏光手段を備えてなるため、
入射光波の直線位置より外れた部分からの反射光波を除去することにより、背景雑音を低減しつかつ、分解能を高めることができるため、歯部に対して高分解能で良好な信号対雑音比で、光断層画像を得ることができる。
１２、請求項１２の発明によれば、
直線偏光している低コヒーレント光の光源光路に配設され、直線偏光を円偏光とする４分の１波長板と、該円偏光を互いに直交する直線偏光に２分割する偏光ビームスプリッタと、参照光路に配設され、前記偏光ビームスプリッタからの直線偏光を円偏光とする４分の１波長板と、反射光路に配設され、前記偏光ビームスプリッタからの直線偏光を円偏光とする４分の１波長板と、該４分の１波長板に近接して配設された直線偏光板とを備えてなるため、途中の光学的損失も最小にでき、互いに平行な直線偏光として、前記多重反射光波とは極めて効率よく干渉し検波され、歯部に対して高分解能で良好な信号対雑音比で、より高画質の光断層画像を得ることができる。
１３、請求項１３の発明によれば、
光診断装置用プローブにおいて、着脱されるプローブカバーが、大直径の円筒又は角筒とその前端部から前方に突設された小直径の半円筒に対して、あるいは、突設された小直径の円筒部に対して、各形状に密接し、かつ着脱できる形状を備え、また、前記カバーの先端部側面又は正面には計測用窓が配設されてなるため、照射方向に対応して交換取着が可能であり、また使用後は、取り外して消毒できる。
１４、請求項１４の発明によれば、
光診断装置用プローブにおいて、装着時にプローブ本体を衝撃より防止し、かつ計測用窓の配置方向設定のため、プローブに着脱され、使用後は消毒を行うために設けられたプローブカバーが、大直径の円筒又は角筒とその前端部から前方に突設された小直径の半円筒に対して、あるいは突設された小直径の半円筒部に対して、各形状に沿って密接する緩衝材と、その上に重ねて設けられた外面カバーの２層よりなるため、万一外部から衝撃があっても、本体内部の特に光学系の精密な光軸アライメントを保持することができる。
【００３０】
１５、請求項１５の発明によれば、
光診断装置用プローブにおいて、歯部に当接するプローブの先端部のぶれを防止する機構が、プローブカバーの計測用窓の前後にバキュームにより吸引される吸盤、又は弾力性及び粘着性を有する防振盤を備え、また、カバーは手動により前後に調節設定できる機構を備えてなり、目的とする歯部の前後の適切な位置に前記吸盤又は防振盤を移動後固定させることができるため、診断時におけるプローブのぶれを防止することができる。
【発明を実施するための最良の形態】
【００３１】
以下図面に基づいて発明の実施の形態を説明する。
図１は本発明の、歯科用チェアユニット内に組み込まれ、多関節アームの先端部に円筒状の診断用プローブを備えた組込型歯科用光診断装置の外観斜視図である。
図において、１は歯科用チェアユニット、２は組込型光診断装置、３は本体収納部、４は操作部、５は表示部、６はメインポール、７は多関節アーム、８はアーム先端の回動部、９は診断用プローブ、１０はプローブの回動部、１１はプローブの先端部、１２は計測用窓、１３はプローブ及びライト用ポール、１４はライト用アーム、１５はトレーテーブル、１６はハンドピースホルダ、１７はチェア、１８はスピットン、１９はアシスタント側ハンドピースホルダ、２０はトレーテーブル用アーム、１２２はフットスイッチを示す。
【００３２】
以下に、歯科用チェアユニットと、歯科光診断装置及びその診断用プローブの配置を示す。
図１に示す本組込型光診断装置２は、診断用プローブ９以外の回路及び機構は、本体収納部３及びトレーテーブル１５の部分に配設されている。
また、チェア１７の側面近傍から立設されたポール６と、該ポール６からはトレーテーブル用アーム２０とプローブ及びライト用ポール１３が配設され、該プローブ及びライト用ポール１３からはライト用アーム１４と、前記多関節アーム７が配設されており、多関節アーム７のアーム先端の回動部８には、基部に回動部１０を有し、プローブの先端部１１には、計測用窓１２を備え、内部には光断層画像、又は表面画像及び光断層画像を取得するＯＣＴの光学系とを有する診断用プローブ９を備えている。
そして、上記診断用プローブ９の先端部１１の計測用窓１２は、前記被検体の歯部の患部（後記）の所定位置に、前記多関節アーム７及びプローブの回動部１０による姿勢制御によって当接することができる。
また、診断用プローブ９は当接時にぶれがないため、安定した広い視野の表面画像及び小面積の光断層画像を得ることができる。
【００３３】
図２は、本発明の歯科用チェアユニット内に組み込まれ、チューブの先端に診断用プローブを備えた組込型歯科用光診断装置の外観斜視図である。
図において、２１はチューブ、２２は診断用プローブホルダー、２３はチューブの先端を示す。
本組込型光診断装置２の診断用プローブ９は、診断用プローブホルダー２２より伸長される前記チューブ２１の先端２３に、プローブの先端部１１に計測用窓１２を備え、また内部には表面画像の撮像と光断層画像を取得するＯＣＴの光学系とを備えてなる。
【００３４】
上記診断用プローブ９の先端部１１の計測用窓１２は、前記被検体の歯部２４の患部（後記）に光ファイバ又は信号線とそれを被覆するチューブ２１の可撓性により施術者が診断用プローブ９を把持して自在に姿勢制御し、所定位置に当接することができるため、広い視野の表面画像及び小面積のＯＣＴ画像（光断層画像）を得ることができる。
また、診断用プローブ９を使用しないときは、診断用プローブホルダー２２に収納する。
さらに該診断用プローブホルダー２２の内面には緩衝材２２’が配設されており、前記収納時の衝撃を吸収して診断用プローブ９内部の機構を保護する。
本装置は、前記多関節アーム７を使用しないため、装置の簡略化を図ることができる。
そして、本装置は、組込型光診断装置２が歯科用チェアユニット１に組み込まれているため、ＯＣＴによる歯部の診断機能を有する歯科用チェアユニットとして有用である。
上記タイプの他、ＯＣＴによる歯部の診断機能を搭載した独立型のカート又はスタンドタイプ（図示せず）を設けてもよい。
【００３５】
図３は、診断用プローブを口腔内の歯部に当接診断中の外観斜視図で、
（イ）図は下顎左側歯列の表側面に、側面に計測窓を有する診断用プローブを多関節アームを介して当接した図、
（ロ）図は下顎左側歯列の裏側面に、側面に計測窓を有する診断用プローブを当接した図、
（ハ）図は下顎正面歯列の表面に、正面に計測窓を有する診断用プローブを当接した図、を示す。
図において、２４は歯部、２５は歯、２６は歯肉、２７は口腔、２８は手指を示す。
例えば、図３の（ロ）図に示したように、診断用プローブ９の先端部１１の計測用窓１２（側面又は正面向き）を目標の歯部（患部）２４に対し、前記手指２８の一部を口腔２７外の口唇周辺に当てて支点とし、適用角度を変えて当接することにより、ぶれがなく歯列中のいずれの歯の表面、裏面、上面、及び歯肉の表面、裏面等を死角なく計測することができる。
【００３６】
次に、外形並びに診断用信号取得手段別に各種タイプの診断用プローブについて説明する。
図４は大円筒とその前方の小半円筒先端部の側面に計測窓を備えた診断用プローブ図である。
図において、７２はカバーを示す。
握持して自在に姿勢制御するためのカバー７２と、その前端部から前方に突設されたプローブの先端部１１には、カバー７２の先端部側面に開設された計測用窓１２を有している。
なお、カバー７２は一体の形状で、前記小半円筒及び大円筒を被覆するものとする。
また、前記大直径の円筒カバー７２の基部外周にリング状のプローブの回動部１０を配設し、該プローブの回動部１０の側面に多関節アーム７のアーム先端の回動部８を固設して、その移動により自在に姿勢制御しかつ、所要位置に停止させることができる。そして停止時にはぶれがない。
【００３７】
図５は大円筒とその前方の小半円筒先端部の正面に計測窓を備えた診断用プローブ図である。
図示したように、前記大直径の円筒の基部より、延設された光ファイバと信号線及びそれを被覆したチューブ２１とを備えてなり、
施術者がカバー７２を握持して移動させ自在に姿勢制御することができる。また、計測用窓１２はプローブの先端部１１の正面にあるため、歯列前部の表面計測に適している。
【００３８】
上記の説明は、以下の（図６の本発明の光ファイバ型歯科用光診断装置の概要説明ブロック図）並びに、（図７の本発明の光ファイバ型歯科光診断装置用プローブの構造図）において、表面画像及び光断層画像の両者を表示する装置の中で、記述されている。
【００３９】
図６は、本発明の光ファイバ型歯科光診断装置の概要説明ブロック図である。
本事例は、概要としては、カメラによる表面画像、及びＯＣＴ部は参照鏡の位置を操作する（プローブの外部又は内部）ことで一次元の反射光プロフィルを取得し、さらに光ビームを横方向走査（プローブ内）することで２次元の光断層画像を得ており、両者を表示することで診断を容易にするものである。
また、光学系の信号の送受信は光ファイバを使用するため構造を簡略化することができる。
図において、２９は大直径の円筒、３０は小直径の円筒、３１は光源、３２は光ファイバ、３３は低コヒーレンス干渉計、３４はプローブ内の光学系定盤、３５は信号光、３６はカメラ、３７は検出器、３８は信号線、３９は増幅器、４０は復調器、４１はＡ／Ｄ変換器、４２は信号処理部、４３はコンピュータ、４４は記憶装置、４５はＬＡＮ接続、４６はプリンタ、４７は画像処理・走査制御部、４８は信号線、４９は表示部、５０は表面画像、５１は指定エリア、５２は光断層画像、５３は計測パターン、５４は計測データ、５５は横方向走査、５６は深さ方向走査、５７は画像信号線を示す。
【００４０】
図示したように、まず、光診断用プローブ９内の白色光源（５９）は、光ファイバにより表面画像撮影用カメラ３６の前方周辺から被検体の歯部２４に照射され（図示せず）、前記表面画像撮影用カメラ３６によって広い領域の表面画像を得る。
この画像はコンピュータ４３の記憶装置４４に記憶されると共にコンピュータ４３の操作により表示部４９のモニタの表面画像表示器に表面画像５０として表示される。
また、モニタには表面画像内の光断層画像５２の表示領域を指定する領域指定エリア５１が表示される。
次に、光断層画像５２の取得は、光源３１としては、低コヒーレント光の光源として、波長領域の異なる例えば、前記ＳＬＤ又はモード同期レーザ：Ｃｒ-4+：Ｍｇ2ＳｉＯ4 （ｆｏｒｓｔｅｒｉｔｅ）等を切り替えて、可視光線から普通赤外線の範囲の波長の光を発生している（図示せず）。
ここで、光の波長を大きく変化させる場合は、必要とする波長に対応した光ファイバと交換、又は予め２種あるいはそれ以上の光ファイバによる光学系を並列に配置し、速やかに切り替えるようにしている（図示せず）。
上記の低コヒーレント光（信号光）は、光ファイバ３２を経て、低コヒーレンス干渉計３３を経由し、伸長された光ファイバ３２によって、前記光診断用プローブ９内のレンズに至り、集束されて前記歯部２４に照射され、深部の複数層から反射される。
【００４１】
所定深度から反射された光は、上記と逆の経路で光ファイバ３２及び低コヒーレンス干渉計３３にて参照光と合波された後、検出器３７にて検出され、信号線３８を経て信号処理部４２に送出される。
そして、増幅器３９で増幅した干渉信号を復調器４０で復調し、Ａ／Ｄ変換器４１でデジタルに変換し画像処理部４７のコンピュータ４３に送出される。
そして、表面画像５０や、光断層画像のエリア５１の指定とエリア内のＯＣＴによる歯部の光断層画像５２や、計測パターン５３及び計測データ５４等の表示を表示部４９に表示し、施術者等の診断に供する。
また、前記中深さ方向走査５６は、プローブ内の光学系定盤３４を移動、あるいは、低コヒーレンス干渉計３３内の参照鏡操作部により（図示せず）行っている。
【００４２】
図７は光ファイバ型歯科光診断装置用プローブの構造図で、
（イ）図は正面図、（ロ）図は（イ）図のＡ−Ａ’断面図である。
図において、３５’は光路、５８は光ファイバ、５９は白色光源、６０はレンズ、６１は直角プリズム、６２はポリゴンミラー、６３はマイクロスイッチ、６４はストッパ、６５はスライドレール、６６はモータ、６７はカップリング、６８はナット、６９はボールネジ、７０はビームスプリッタ、７１はＯリングを示す。
図示したように、光ファイバ型診断用プローブの大直径の円筒２９の内部に、外部の本体より導入された信号光３５を照射する光ファイバ３２と、
該光ファイバ３２の先端に配設され光路を直角に曲げるための直角プリズム６１と、該照射光（信号光３５）を受け回転しながら前方に集光光を照射する横方向走査５５用のポリゴンミラー６２と、
前記、光ファイバ３２とレンズ６０とポリゴンミラー６２のプローブ内の光学系定盤３４と、該プローブ内の光学系定盤３４をスライドレール６５の上を前後に移動させ深さ方向の走査５６を行うための機構と、
【００４３】
前記小直径の半円筒３０内の先端部に配設され、前記信号光３５を下方に送りかつ、歯部２４（図６）からの反射光を取得すると共に、表面画像を撮像するためのビームスプリッタ７０と、あるいは小直径の半円筒３０の内の先端部に配設され、前記信号光３５を前方に送りかつ、歯部２４（図６）からの反射光を取得すると共に、表面画像を撮像するためのビームスプリッタ７０と、
表面画像取得用のカメラ３６及び該カメラ３６用の白色光源５９と照射ガイド用光ファイバ５８を備えてなり、
信号光３５を光路３５’のようにポイントとして歯部２４に照射し、その反射光より光診断画像（光断層画像５２：図６）を取得する。
また、カバー７２は着脱可能で、挿着時はＯリング７１により前記大直径の円筒２９及び小直径の半円筒３０に密着する。
そして、前記カバー７２は使用後は取り外し、消毒を実施する。
【００４４】
図８は、他の光ファイバ型歯科光診断装置用プローブの構造図で、
（イ）図は正面図、（ロ）図は（イ）図のＢ−Ｂ’断面図である。
図示したように、光ファイバ型診断用プローブの大直径の円筒２９内部及び小直径の半円筒３０の先端部まで、外部の本体より導入された信号光を照射する光ファイバ３２と、該光ファイバ３２の先端に配設されたレンズ６０と、
該レンズ６０の前方に配設され、前記信号光３５を下方に送り、かつ歯部２４（図６）からの反射光を取得すると共に、表面画像を撮像するためのビームスプリッタ７０と、表面画像取得用のカメラ３６及び該カメラ３６用の白色光源５９とを備えてなり、信号光３５を光路３５’のようにポイントとして歯部２４に照射し、
その反射光より光診断画像（光断層画像５２：図６）を取得する。
上記において、深さ方向の走査５６（図６）はプローブ９外の本体（図示せず）において行うため、プローブの構造は簡略化され小型とすることができる。
また、カバー７２は着脱可能で、挿着時はＯリング７１により前記大直径の円筒２９及び小直径の半円筒３０に密着する。
そして、前記カバー７２は使用後は取り外し、消毒を実施する。
【００４５】
図９は、本発明のバルク型歯科光診断装置の概要説明ブロック図である。
本事例は、概要としては、カメラによる表面画像、及びＯＣＴ部は二次元の反射光プロファイルを取得し、さらに光ビームを深さ方向走査（プローブ内）することで３次元の光断層画像を得ており、両者を表示することで診断を容易にするものである。
また、光学系の信号の送受信は主としてバルク型（空間伝搬型）を使用する。
図において、７３は振動子を示す。
本ブロック図は、前記図６における低コヒーレンス干渉系と、照射レンズ間及び検出器間の信号伝搬に用いた光ファイバ３２に代わって、空間伝搬機構を用いたもので、作用は同様である。
図において、３１は光源、３２は光ファイバ、３３は低コヒーレンス干渉計、３５は信号光、３６はカメラ、３７は検出器、３８は信号線、３９は増幅器、４０は復調器、４１はＡ／Ｄ変換器、４２は信号処理部、４３はコンピュータ、４４は記憶装置、４５はＬＡＮ接続、４６はプリンタ、４７は画像処理・走査制御部、４８は信号線、４９は表示部、５０は表面画像、５１は指定エリア、５２は光断層画像、５３は計測パターン、５４は計測データ、５６は深さ方向走査、５７は画像信号線を示す。
【００４６】
図示したように、まず、光診断用プローブ９内の白色光源（５９）は、光ファイバ（５８）により表面画像撮影用カメラ３６の前方周辺から被検体の歯部２４に照射され、前記表面画像撮影用カメラ３６によって広い領域の表面画像５０を得る。
この画像はコンピュータ４３の記憶装置４４に記憶されると共にコンピュータ４３の操作により表示部４９のモニタの表面画像表示部に表面画像５０として表示される。
また、モニタには表面画像５０内の光断層画像５２の表示領域を指定する領域指定用指定エリア５１が表示される。
次に、光断層画像５２の取得は、光源３１としては、低コヒーレント光の光源として、波長領域の異なる例えば、前記ＳＬＤ又はモード同期レーザ：Ｃｒ-4+：Ｍｇ2ＳｉＯ4 （ｆｏｒｓｔｅｒｉｔｅ）等を切り替えて、可視光線から普通赤外線の範囲の波長の光を発生している（図示せず）。
上記の低コヒーレント光（信号光）は、光ファイバ３２を経て、低コヒーレンス干渉計３３を経由し、信号光３５のように、前記光診断用プローブ９から前記歯部２４に照射され、深部の複数層から反射される。
【００４７】
所定深度から反射された光は、上記と逆の経路で低コヒーレンス干渉計３３にて参照光と合波された後、検出器３７にて検出され、信号処理部４２に送出される。
そして、増幅器３９で増幅した干渉信号を復調器４０で復調し、Ａ／Ｄ変換器４１でデジタルに変換し画像処理・走査制御部４７のコンピュータ４３に送出される。
そして、表面画像５０や、断層像の指定エリア５１とエリア内のＯＣＴによる歯部の光断層画像５２や、計測パターン５３及び計測データ５４等の表示を表示部４９に表示し、施術者等の診断に供する。
また、前記中深さ方向走査５６は、プローブ内の光学系定盤３４を移動（図示せず）させて行っている。
【００４８】
図１０はバルク型診断用プローブの構造図で、
（イ）図は正面図、（ロ）図は（イ）図のＡ−Ａ’の断面図、（ハ）図は（ロ）図の先端の下面図である。
図において、７３は振動子、７４はガラスロッド、７５はビームスプリッタ、７６はイメージセンサ、７８はミラーを示す。
ここで、ガラスロッド７４は、ガラスが空気より光の屈折率が大きいことを利用し、実際の光路長を短縮し、診断用プローブ９全体を短くして軽量化し、かつ、操作性を向上させることを目的とするものであり、診断用プローブ９を多関節アーム先端に固設する場合など、軽量化等があまり問題でない場合は省略してもよい。
前記図９に記載のバルク型診断用プローブの構造図において、
大直径の円筒２９の内部に、低コヒーレント光を発する光源３１と、同光を伝搬する光ファイバ３２と、該光ファイバ３２の先端に配設されたレンズ６０と、
該レンズ６０の前方に配設されたビームスプリッタ７５と、
該ビームスプリッタ７５の下部より直角プリズム６１を介して光路を直角に曲げられ、ミラー７８により反射され、振動子７３と空間伝搬路（ガラスロッド７４）を有する参照光発生部と、
【００４９】
また、前記ビームスプリッタ７５の上部より結像レンズ６０’を介して光断層画像５２（図９）を受像する２次元のイメージセンサ７６と、
前記光源３１と光ファイバ３２とビームスプリッタ７５とレンズ６０とイメージセンサ７６と結像レンズ６０’と、参照光発生部で構成される光学系を配設したプローブ内の光学系定盤３４と、
該プローブ内の光学系定盤３４をスライドレール６５の上を前後に移動させ深さ方向走査５６を行うための機構と、
前記小直径の半円筒内３０の先端部に配設され前記信号光３５を下方光路３５’に送り、かつ前記歯部２４の表面画像５０（図９）を撮像するためのビームスプリッタ７０と、前記小直径の半円筒内３０の先端側面に開口されている計測用窓１２と、
表面画像取得用のカメラ３６及び、該カメラ３６用の光源５９及びガイドの光ファイバ５８とを備えてなる。
【００５０】
図１１は他のバルク型診断用プローブの構造図で、
（イ）は正面図、（ロ）は（イ）図のＢ−Ｂ’断面図である。
前記、小直径の半円筒３０内の先端部に配設された前記ライン状の信号光を前方に送りかつ、歯部２４の表面画像を撮像するためのビームスプリッタ７０と、小直径の半円筒３０先端正面に計測用窓１２を備えてなり、
信号光を面（光路３５’）として歯部２４に照射し、その反射光より光断層画像５２（図９）を取得するものである。
【００５１】
図１２は、本発明の他のバルク型歯科用光診断装置の概要説明ブロック図である。
本事例は、概要として、検出器３７により表面画像５０及びＯＣＴ部は、二次元の光断層画像５２を得ており、両者を前記検出器３７で必要に応じて交互に兼用表示することで診断を容易にするものである。
また、光学系の信号の送受信は主としてバルク型（空間伝搬型）を使用する。
図において、１２３は空間伝搬路を示す。
本ブロック図は、前記図６における低コヒーレンス干渉系と、照射レンズ間及び検出器間の信号伝搬に用いた光ファイバ３２に代わって、空間伝搬機構を用いたもので、作用は同様である。
【００５２】
図１３はバルク型歯科光診断装置用プローブの構造図で
（イ）図は正面図、（ロ）図は（イ）図のＡ−Ａ’断面図である。
前記図１０に記載のバルク型診断用プローブの大直径の円筒２９の内部に、
外部の本体より導入された低コヒーレント光を照射する光ファイバ３２と、
ファイバの先端に配設された平凸レンズ６０と、
該レンズ６０の前方に配設されたビームスプリッタ７５と、
該ビームスプリッタ７５の下部より直角プリズム６１を介して光路を直角に曲げられ、ミラー７８により反射され、振動子７３及び空間伝搬路（ガラスロッド７４）を有する参照光発生部と、
また、前記ビームスプリッタ７５の上部より結像レンズ６０を介して光断層画像並びに表面画像を受像する２次元のイメージセンサ７６と、
前記光ファイバ３２とビームスプリッタ７５とレンズ６０とイメージセンサ７６と、結像レンズ６０’とミラー７８と振動子７３及び空間伝搬路（ガラスロッド７４）で構成される光学系を配設したプローブ内の光学系プローブ内の光学系定盤３４と、
該プローブ内の光学系定盤３４をスライドレール６５の上を前後に移動させ深さ方向走査５６を行うための機構と、
前記小直径の半円筒３０の内部に配設された歯部２４の表面画像取得用の白色光源５９と、照射ガイドの光ファイバ５８と、先端部の正面に計測用窓１２を備えてなる。
ここで、ガラスロッド７４はガラスが空気より光の屈折率が大きいことを利用とし、実際の光路長を短縮し、プローブ全長を短くして軽量化し、かつ操作性を向上せることを目的とするものであり、プローブを多関節アーム先端に固設する場合など、軽量化があまり問題でない場合は省略してもよい。
【００５３】
図１４は小半円筒先端に４５°の傾斜を持つミラーを配設したプローブの構造図で、
（イ）図は正面図、（ロ）図は（イ）図のＢ−Ｂ’断面図である。
図において、７７はミラーを示す。
図示したように、前記小直径の半円筒３０の先端に４５°の傾斜を持つミラー７７を配設し、先端部の下方に計測用窓１２を備えてなり、信号光を面として光路３５’のように前記歯部２４に照射し、その反射光より光断層画像を取得する。
【００５４】
図１５は先端部が湾曲したバルク型診断用プローブの外観斜視図である。
図において、７９はカバー、８０は湾曲イメージファイバ、８１は計測用窓、８２は大直径の円筒、８３は中空円錐体、を示す。
前記バルク型診断用プローブにおいて、
使用される先端部が口腔内の歯部２４に当接する診断用プローブ９が、
握持して自在に姿勢制御するための大直径の円筒８２（図１７）と、該円筒の前端と一体でその前端部から前方に突設された漏斗状の中空円錐体８３と、
その先端部が４５°に湾曲された診断用の湾曲イメージファイバ８０と、その基部は着脱可能に挿着される挿着部と、該湾曲イメージファイバ８０の先端に配設された計測用窓８１を備えてなる。
また、前記図１５は前記プローブの基部に多関節アーム７，８を配設したものである。
図１６は図１５のプローブの基部に信号チューブを配設した図である。
前記チューブ２１が診断用プローブ９の基部より直接配設されている。
【００５５】
図１７は、先端部が湾曲したバルク型診断用プローブの構造図である。
前記大直径の円筒８２の内部に、低コヒーレント光を発する光源３１と、同光を伝搬する光ファイバ３２と、ファイバ３２の先端に配設されたレンズ６０と、
該レンズ６０の前方に配設されたビームスプリッタ７５と、
該ビームスプリッタ７５の下部より直角プリズム６１を介して光路を直角に曲げられ、ミラー７８により反射され振動子７３及び空間伝搬路（ガラスロッド７４）を有する参照光発生部と、また、前記ビームスプリッタ７５の上部より結像レンズ６０’を介して光断層画像５２を受像する２次元のイメージセンサ７６と、前記光源３１と光ファイバ３２とビームスプリッタ７５とレンズ６０とイメージセンサ７６と結像レンズ６０’とミラー７８と振動子７３及び空間伝搬路（ガラスロッド７４）の参照光発生部で構成される光学系を配設したプローブ内の光学系定盤３４と、
該プローブ内の光学系定盤３４をスライドレール６５上の前後に移動させ深さ方向走査５６を行うための機構と、前記中空円錐体８３の先端部に配設され、歯部２４の表面画像５０を撮像するためのビームスプリッタ７０と、表面画像取得用のカメラ３６及び該カメラ３６用の光源５９とを備えてなり、
信号光３５を面として歯部２４に照射し、その反射光より光断層画像５２を取得する。
本器は、湾曲したイメージファイバ８０により、所定の歯部２４への当接が容易である。
【００５６】
図１８は、大口径の角筒のバルク型診断用プローブの外観斜視図で、
図１９は、他の大口径の角筒のバルク型診断用プローブの外観斜視図である。
図において、８５は大口径の角筒を示す。
図１８に示すバルク型に使用される先端部が口腔内の歯部２４に当接する診断用プローブ９の外形は、握持して自在に姿勢制御するための大口径の角筒８５と、その前端部から前方に突設された小直径の半円筒３０と、
該小直径の半円筒３０の先端部側面に開設された計測用窓１２と、
前記大口径の角筒８５の基部外周に回動可能なプローブの回動部１０を配設し、該プローブの回動部１０の側面に多関節アーム７の先端部を固設して、その移動により自在に姿勢制御しかつ、所要位置に停止させる機構を備えてなる。
図１９は計測用窓１２が正面に配設され、かつ角筒８５の基部より延設された信号線及びそれを被覆したチューブ２１を備えてなるタイプである。
【００５７】
図２０は本発明の他のバルク型歯科用光診断装置の概要説明ブロック図である。
本ブロック図は前記図９と同作用であるが、光源３１を診断用プローブ９内に収納し、信号光３５をシリンドリカルレンズ８８で集束し、一次元のイメージセンサである検出器３７’を使用する点が異なる。
図２１は、大口径の角筒のバルク型診断用プローブの構造図で、
（イ）図は正面図、（ロ）図は（イ）図のＣ−Ｃ’断面図である。
図２２は、図２１の下面図（一部透視図）である。
図において、８４はカバー、８５は大口径の角筒、８６はガロバノメータスキャナ、８７は反射ミラー、８８はシリンドリカルレンズを示す。
【００５８】
図２１において、大口径の角筒８５の内部に、低コヒーレント光を発する光源３１と、同光を伝搬する光ファイバ３２と、該光ファイバ３２の先端に配設されたレンズ６０と、該レンズ６０の前方に配設されたビームスプリッタ７５と、該ビームスプリッタ７５の下部よりプリズムを介して光路を直角に曲げられ、ミラー７８により反射され振動子７３及び空間伝搬路（ガラスロッド７４）を有する参照光発生部と
また、前記ビームスプリッタの上部よりシリンドリカルレンズ８８を介して光断層画像を受像する一次元のイメージセンサ７６と、
前記ビームスプリッタ７５の前方に配設されたシリンドカリルレンズ８８と、
その前方に配設され光路を下方に直角に曲げる直角プリズム６１と、
その下方に配設され振動方向により横方向走査５５するガロバノメータスキャナ８６と、
前記ガロバノメータスキャナ８６からの反射光を、前記小直径の半円筒３０方向に反射させるミラー８７と、で構成される光学系を配設したプローブ内の光学系定盤３４と、
【００５９】
該プローブ内の光学系定盤３４を前後に移動させ深さ方向走査５６を行うための機構と、
さらに反射ミラー８７により、前記小直径の半円筒３０内に配設され、前記反射ミラー８７からの信号光を、下方に送りかつ、歯部２４からの反射光を取得すると共に、表面画像５０を撮像するためのビームスプリッタ７０と、
あるいは前記小直径の半円筒３０内に配設され、前記ミラー８７からの信号光を前方に送りかつ、歯部２４からの反射光を取得すると共に、表面画像５０を撮像するためのビームスプリッタ７０と、
表面画像取得用のカメラ３６及び該カメラ３６用の白色光源５９及びガイドの光ファイバ５８を備え、前記小直径の半円筒３０の先端部側面又は正面に開設された計測用窓１２と、前記大口径の角筒８５の基部より延設された信号線及びそれを被覆したチューブ２１を備えてなる。
ここで、ガラスロッド７４はガラスが空気より光の屈折率が大きいことを利用とし、実際の光路長を短縮し、診断用プローブ全長を短くして軽量化し、かつ操作性を向上せることを目的とするものであり、診断用プローブを多関節アーム先端に固設する場合など、軽量化があまり問題でない場合は省略してもよい。
また、カバー８４は着脱可能で、挿着時はＯリング７１により前記大直径の角筒８５及び小直径の半円筒３０に密着する。
そして、前記カバー８４は使用後は取り外し、消毒を実施する。
【００６０】
図２３はピストル状のバルク型診断用プローブ多関節アーム取り付け型の外観斜視図、
図２４は同信号チューブ延設型の外観斜視図、
図２５は同独立型の外観斜視図である。
図において８９は横設された円筒、９０は有底円筒部、９１は小直径の半円筒、９２はカバーを示す。
前記バルク型診断用プローブにおいて、
図２３は、先端部が口腔２７内の歯部２４に当接する診断用プローブ９の外形が、全体がピストル状をなし、握持して自在に姿勢制御するための垂直の有底円筒部９０と、該垂直有底円筒部９０の上端に中央部を接続して横設された円筒８９と、上記横設された円筒８９の前端部から前方に回動自在に突設され、
ピン９６により保持された小直径の半円筒９１と、
該回転自在の小直径の半円筒９１の先端部側面に取り付けられることにより上下左右いずれの方向にも向けることができる、又は正面に開設された計測用窓１２と、前記横設された円筒８９の基部外周に回動可能なプローブの回動部１０を配設し、
該プローブの回動部１０の側面に多関節アーム７の先端の回動部８を固設して、その移動により自在に姿勢制御しかつ、所要位置に停止させる機構を備えてなる。
図２４は、前記横設された円筒８９の基部より延設された信号線及びそれを被覆したチューブ２１を備えてなり、
図２５は、前記垂直の有底円筒部９０内からの信号の外部への送出は、ワイヤレスとした独立型である。
【００６１】
図２６は本発明のピストル状バルク型歯科光診断装置の概要説明のブロック図である。
図において、９３は送信機、９４は無線送路、９５は受信器を示す。
本機は、前述した例えば図９のバルク型の概要説明のブロック図おいて、
前記ピストル状の診断用プローブ９の中に、表示部及びコンピュータの周辺機器を除き他の総てを収納して一体化し、コンピュータ４３に接続された送信機９３より、画像信号並びにデータ信号を無線送路９４で送出し、受信器９５経由で表示部４９で表示診断する。
プローブ９内に信号処理部４２及び画像処理・走査制御部４７（コンピュータ周辺機器を除く）も含まれるため、扱いが容易でかつ、軽量小型にすることができる。
【００６２】
図２７は、ピストル状のバルク型診断用プローブの構造図で、
（イ）図は正面図、（ロ）図は（イ）図のＡ−Ａ’断面図である。
有底円筒部９０及び横設円筒８９の内部に、低コヒーレント光を発する光源３１と、光を伝搬する光ファイバ３２と、該ファイバ３２の先端に配設されたレンズ６０と、該レンズの前方に配設された光路３５を直角に変えるプリズム６１と、該直角プリズム６１の前方に配設されたビームスプリッタ７５と、
該ビームスプリッタ７５により下部に送られ、ミラー７８により反射され、
振動子７３及び空間伝搬路（ガラスロッド７４）を有する参照光発生部と、
また、前記ビームスプリッタ７５の上部より結像レンズ６０’を介して光断層画像５２を受像する２次元のイメージセンサ７６と、
前記光源３１とレンズ６０と直角プリズム６１と参照光発生部とビームスプリッタ７５とイメージセンサ７６等で構成される光学系を配設したプローブ内の光学系定盤３４と、
該プローブ内の光学系定盤３４を前後にスライドレール６５上を移動させ深さ方向走査５６を行うための機構と、
【００６３】
前記ビームスプリッタ７５からの信号光を、前記回動自在の小直径の円筒９１内の先端部に配設され下方に送りかつ、歯部２４からの反射光を取得すると共に、表面画像５０を撮像するためのビームスプリッタ７０と、あるいは前記ビームスプリッタ７５からの信号光を、前記回動自在の小直径の半円筒９１内の先端部に配設され前方に送り、かつ歯部２４からの反射光を取得すると共に、表面画像５０を撮像するためのビームスプリッタ７０と、
表面画像取得用のカメラ３６及び該カメラ３６用の白色光源５９と、
前記回動自在の小直径の半円筒９１の先端部側面に取り付けられることにより上下左右いずれの方向にも向けることができる、又は正面に開設された計測用窓１２と、前記大口径の横設された円筒８９の基部より延設された無線送路（アンテナ）９４並びに、前記垂直の有底円筒９０の内部には、イメージセンサ（検出器）７６からの信号の増幅器３９と、参照光との干渉信号を複調する復調器４０と、復調信号のＡ／Ｄ変換器４１よりなる信号処理部（４２）と、
画像処理及び走査制御（４７）用コンピュータ４３と、
上記画像信号を外部に送出する無線送信機９３等を有するワイヤレス独立型である。
ここで、ガラスロッド７４はガラスが空気より光の屈折率が大きいことを利用し、実際の光路長を短縮し、プローブ全長を短くして軽量化し、かつ操作性を向上せることを目的とするものであり、プローブを多関節アーム先端に固設する場合など、軽量化があまり問題でない場合は省略してもよい
【００６４】
図２８は、本発明の他のピストル状バルク型歯科光診断装置の概要説明のブロック図である。
本機は前記図２６のピストル状の診断用プローブ９の中に、表示部及びコンピュータの周辺機器を除き他の総て収納して一体化し、前記垂直の有底円筒部９０の内部のコンピュータ４３からの信号は、前記横設された円筒８９の基部から信号線（チューブ２１）により外部に送出される手段を有し、画像信号並びにデータ信号を送出し、表示部４９で表示診断する独立型である。
【００６５】
図２９は、他のピストル状のバルク型診断用プローブの構造図で、
（イ）図は正面図、（ロ）図は（イ）図のＡ−Ａ’断面図である。
前述した図２７と異なるのは、有底円筒部９０の内部に送信機（９３）を有せず、コンピュータ４３から画像信号並びにデータ信号を信号線（チューブ２１）により外部に送出している点である。
また、図２７並びに図２９に示した有底円筒部９０及び横設した円筒８９の外周には緩衝材によるカバーが配設（図示せず、後記）され、内部の機構を保護するように配慮されている。
さらに図示したように、回動自在の小半円筒９１及び横設された円筒８９の前方のカバー９２は、正面又は側面の計測用窓１２に対応して着脱可能になっている。
【００６６】
次に、直線偏光手段を備えた空間伝搬型歯科用光診断装置の事例を記載する。
図３０は、直線偏光手段を備えたバルク型（空間伝搬型）診断用プローブの構造図である。
なお、本直線偏光手段を備えたバルク型診断用プローブの基本構造は、前記図１０のバルク型診断用プローブの構造図に記載したものと同様であるから省略する。
図において、９８は直線偏光板を示す。また、本図における光ファイバ３２は、偏波面保存型を使用するものとする。
上記直線偏光板９８は、ビームスプリッタ７５と、前記歯部２４間の多重反射の光路３５’に配設され、低コヒーレントな光波が直線偏光している場合でも、前記歯部２４から非偏光解消成分のみを抽出検波することができる。
歯部２４における微細不定形状面からの２次反射光波は、明確な偏光を示さなくなり偏光解消するが、入射光波の一次反射光波は偏光性を反映する。
したがって、前記ビームスプリッタ７５と歯部２４間の多重反射の光路３５’間に直線偏光板９８を配置し、入射光波の直線位置より外れた部分からの反射光波を除去することにより、背景雑音を低減しつかつ、分解能を高めることができるため、歯部２４に対して高分解能で良好な信号対雑音比で、光断層画像５２を得ることができる。
【００６７】
図３１は、直線偏光板と４分の１波長板及び偏光ビームスプリッタを備えたバルク型診断用プローブの構造図である。
図において、９９は４分の１波長板、７５’は偏光ビームスプリッタを示す。前記図３０のビームスプリッタ７５を偏光ビームスプリッタ７５’に代え、
該偏光ビームスプリッタ７５’と前記直線偏光板９８との間、ガラスロッド７４と直角プリズム６１との間及び、偏光ビームスプリッタ７５’とレンズ６０との間にそれぞれ、４分の１波長板９９を配設したものである。
また、図３１における光ファイバ３２は偏波面保存型を使用するものとする。低コヒーレンス光源３１（発光素子のＳＬＤ）から出力される直線偏光を、４分の１波長板９９を透過させ円偏光として、偏光ビームスプリッタ７５’を用いて互いに直交する直線偏光に２分割する。
このうち、一方の直線偏光成分は、直角プリズム６１を経由し、４分の１波長板９９を透過して、参照ミラー（ミラー７８及び振動子７３）で反射され、
逆の経路で再度、前記４分の１波長板９９を透過した偏光は、偏光ビームスプリッタ７５’との適宜な角度の組み合わせにより、直線偏光とされ、ビームスプリッタ７５’を介して検出器（イメージセンサ７６）に導かれる。
その結果、途中の光学的損失も最小にでき、互いに平行な直線偏光として、前記多重反射光波とは極めて効率よく干渉し検波される。
【００６８】
図３２は本発明の光診断装置用プローブのカバーの外観斜視、一部透視図で、
図において、１００は一体カバー、１０１は大円筒部、１０２は小半円筒部、７１’はＯリング溝、１０４は側面の計測用窓、１０５は挿入の方向を示す。
この時、一体カバー１００のＯリング溝７１’は、プローブ９のＯリング７１に嵌合され、停止すると共に密着される。
光診断装置用プローブ９において、計測用窓の配置方向設定及び使用後の消毒のため、プローブ９に着脱される一体カバー１００が、前記大円筒部又は角筒（図示せず）とその前端部から前方に突設された小半円筒部１０２に対して、
あるいは、前記突設された小半円筒部１０２に対して、各形状に密接し、かつ着脱できる形状を備え、
また、前記カバーの先端部には、側面の計測用窓１０４又は正面の計測用窓（図示せず）が配設されてなり、
照射方向に対応して交換取着が可能であり、そして、使用後は、取り外して消毒できることができる。
【００６９】
図３３は分離型カバーの外観斜視、一部透視図である。
図において、１０１’は大円筒部のカバー、１０２’は小円筒部のカバー、１０４’は正面の計測用窓、１０６は嵌挿方向、１０７は照射方向、１１６、１１７は嵌合部、７１’はカバーのＯリング溝、１０３はＯリング溝、７１はＯリング、を示す。
本方式では、大円筒部カバー１０１’は挿着したままで、小円筒部カバー１０２’のみを診断用プローブ９に着脱することができる。
【００７０】
図３４は緩衝材を有するプローブカバーの外観斜視、一部透視図である。
図において、１１４は緩衝材、１１５は計測用窓を示す。
光診断装置用プローブ９において、装着時にプローブ９の本体を衝撃より防止し、かつ計測用窓１１５の配置方向設定のため、診断用プローブ９に着脱され、使用後は消毒を行うためのプローブカバー１０１において、
前記大円筒部１０１（図３２）又は大口径の角筒８５（図２１）とその前端部から前方に突設された小直径の半円筒１０２（図３２）に対して、各形状に沿って密接する緩衝材１１４と、その上に重ねて設けられた一体のカバー１２１の２層よりなり、
また、前記一体のカバー１２１の先端部側面又は正面には計測用窓１１５が配設されてなり、照射方向に対応して交換取着が可能であり、そして、使用後は、取り外して消毒できる。
図示したようにプローブの本体は緩衝材１１４にて被覆されるため、万一外部から衝撃があっても、本体内部の特に光学系の精密な光軸アライメントを保持することができる。
【００７１】
図３５は吸盤によりプローブ先端のぶれを防止する構造図で、
（イ）図は正面図、（ロ）図は（イ）図のＡ−Ａ’断面図、（ハ）図は（ロ）図の下面図、（ニ）図はバキューム部分の拡大図である。
図３６は歯列の側面に吸盤を吸着させた時の外観図である。
図において、７１’はカバーのＯリング溝、１０８は吸盤、１０８’は吸引孔、１０９は計測用窓、１１０はカバーのスライド方向、
１１１はバキュームチューブ、１１２はバキューム接手、１１３は吸引通路、１１９はカバーを示す。
光診断装置用プローブ９において、歯部２４に当接するプローブ９の先端部のぶれを防止する機構が、
前記プローブカバー１０１の計測用窓１０９の前後に、バキュームにより吸引される吸盤１０８を備えてなり、
該吸盤１０８はバキューム部分の拡大図に示したように、外部からバキュームチューブ１１１を導入し、バキューム接手１１２を吸引通路１１３の接続端に配設し、吸引通路１１３を経て吸引孔１０８’を有する前記吸盤１０８によって歯部２４を吸引する。
また、カバー１１９は手動によりカバーのスライド方向１１０のように、前後に調節設定でき、図３４に示したように目的とする歯部２４の前後の適切な位置に前記吸盤１０８を移動後固定させる。
上記の固定は、図３３の拡大図のように診断用プローブ９後部に配設されているＯリング７１に、前記前後に調節されたカバーのＯリング溝７１’を嵌合させて行う。
上記のようにして、診断用プローブ９の先端部は吸引固定され、ぶれを防止することができる。
【００７２】
図３７は吸着防振盤により診断用プローブ９先端のぶれを防止する構造図で、
（イ）図は正面図、（ロ）図は（イ）図のＡ−Ａ’断面図、（ハ）図は（ロ）図の下面図である。
図３８は歯列の側面に防振盤を吸着させた時の外観図である。
図において、１１８は吸着防振盤を示す。
本装置は、前記図３５〜３６に示した吸引孔を有する吸盤の代わりに、
弾力性を有しかつ粘着性を有する例えば合成樹脂（エラストマ）等の吸着防振盤１１８を使用したものである。
したがって、バキューム関係は不要であるが、同様に診断用プローブ９の先端部は粘着固定され、ぶれを防止することができる。
【図面の簡単な説明】
【００７３】
【図１】本発明の、歯科用チェアユニット内に組み込まれ、多関節アームの先端部に円筒状の診断用プローブを備えた組込型歯科光診断装置の外観斜視図。
【図２】本発明の歯科用チェアユニット内に組み込まれ、チューブの先端に診断用プローブを備えた組込型歯科光診断装置の外観斜視図。
【図３】診断用プローブを口腔内の歯部に当接診断中の外観斜視図。
【図４】大円筒とその前方の小半円筒先端部の側面に計測用窓を備えた診断用プローブ図。
【図５】大円筒とその前方の小半円筒先端部の正面に計測用窓を備えた診断用プローブ図。
【図６】本発明の光ファイバ型歯科光診断装置の概要説明ブロック図。
【図７】光ファイバ型歯科光診断装置用プローブの構造図。
【図８】他の光ファイバ型歯科光診断装置用プローブの構造図。
【図９】本発明のバルク型歯科光診断装置の概要説明ブロック図。
【図１０】バルク型診断用プローブの構造図。
【図１１】他のバルク型診断用プローブの構造図。
【図１２】本発明の他のバルク型歯科用光診断装置の概要説明ブロック図。
【図１３】バルク型歯科光診断装置用プローブの構造図。
【図１４】小半円筒先端に４５°の傾斜を持つミラーを配設したプローブの構造図。
【図１５】先端部が湾曲したバルク型診断用プローブの外観斜視図。
【図１６】図１５のプローブの基部に信号チューブを配設した図。
【図１７】先端部が湾曲したバルク型診断用プローブの構造図。
【図１８】大口径の角筒のバルク型診断用プローブの外観斜視図。
【図１９】他の大口径の角筒のバルク型診断用プローブの外観斜視図。
【図２０】本発明の他のバルク型歯科用光診断装置の概要説明ブロック図。
【図２１】大口径の角筒のバルク型診断用プローブの構造図。
【図２２】図２１の下面図。
【図２３】ピストル状のバルク型診断用プローブ多関節アーム取り付け型の外観斜視図。
【図２４】同信号チューブ延設型の外観斜視図。
【図２５】同独立型の外観斜視図。
【図２６】本発明のピストル状バルク型歯科用光診断装置の概要説明のブロック図。
【図２７】ピストル状のバルク型診断用プローブの構造図。
【図２８】本発明の他のピストル状バルク型歯科光診断装置の概要説明のブロック図。
【図２９】他のピストル状のバルク型診断用プローブの構造図。
【図３０】直線偏光手段を備えたバルク型診断用プローブの構造図。
【図３１】直線偏光板と４分の１波長板及び偏光ビームスプリッタを備えたバルク型診断用プローブの構造図。
【図３２】本発明の光診断装置用プローブカバーの外観斜視、一部透視図。
【図３３】分離型カバーの外観斜視、一部透視図。
【図３４】緩衝材を有するプローブカバーの外観斜視、一部透視図。
【図３５】吸盤によりプローブ先端のぶれを防止する構造図。
【図３６】歯列の側面に吸盤を吸着させた時の外観図。
【図３７】吸着防振盤によりプローブ先端のぶれを防止する構造図。
【図３８】歯列の側面に防振盤を吸着させた時の外観図。
【符号の説明】
【００７４】
１：歯科用チェアユニット           ２：組込型光診断装置
３：本体収納部                     ４：操作部
５：表示部                         ６：メインポール
７：多関節アーム                   ８：アーム先端の回動部
９：診断用プローブ                 １０：プローブの回動部
１１：プローブの先端部             １２：計測用窓
１３：プローブ及びライト用ポール   １４：ライト用アーム
１５：トレーテーブル               １６：ハンドピースホルダー
１７：チェア                       １８：スピットン
１９：アシスタント側ハンドピースホルダー
２０：トレーテーブル用アーム       ２１：チューブ
２２：診断用プローブホルダー       ２２’：緩衝材
２３：チューブの先端               ２４：歯部
２５：歯                           ２６：歯肉
２７：口腔                         ２８：手指
２９：大直径の円筒                 ３０：小直径の半円筒
３１：光源                         ３２：光ファイバ
３３：低コヒーレンス干渉計         ３４：プローブ内の光学系定盤
３５：信号光                       ３５’：光路
３６：カメラ                       ３７：検出器
３７’：検出器                     ３８：信号線
３９：増幅器                       ４０：復調器
４１：Ａ／Ｄ変換器                 ４２：信号処理部
４３：コンピュータ                 ４４：記憶装置
４５：ＬＡＮ接続                   ４６：プリンタ
４７：画像処理・走査制御部         ４８：信号線
４９：表示部                       ５０：表面画像
５１：指定エリア                   ５２：光断層画像
５３：計測パターン                 ５４：計測データ
５５：横方向走査                   ５６：深さ方向走査
５７：画像信号線                   ５８：光ファイバ
５９：白色光源                     ６０：レンズ
６０’：結像レンズ                 ６１：直角プリズム
６２：ポリゴンミラー               ６３：マイクロスイッチ
６４：ストッパ                     ６５：スライドレール
６６：モータ                       ６７：カップリング
６８：ナット                       ６９：ボールネジ
７０：ビームスプリッタ             ７１：Ｏリング
７１’：カバーのＯリング溝         ７２：カバー
７３：振動子                       ７４：ガラスロッド
７５：ビームスプリッタ             ７５’：偏光ビームスプリッタ
７６：イメージセンサ               ７７：ミラー
７８：ミラー                       ７９：カバー
８０：湾曲イメージファイバ         ８１：計測用窓
８２：大直径の円筒                 ８３：中空円錐体
８４：カバー                       ８５：大口径の角筒
８６：ガロバノメータスキャナ       ８７：反射ミラー
８８：シリンドリカルレンズ         ８９：横設された円筒
９０：有底円筒部                   ９１：小直径の半円筒
９２：カバー                       ９３：送信機
９４：無線送路                     ９５：受信機
９６：ピン                         ９７：回動部
９８：直線偏光板                   ９９：４分の１波長板
１００：一体カバー                 １０１：大円筒部
１０１’：大円筒部のカバー         １０２：小半円筒部
１０２’：小円筒部のカバー         １０３：Ｏリング溝
１０４：側面の計測用窓             １０４’：正面の計測用窓
１０５：挿入の方向                 １０６：嵌挿方向
１０７：照射方向                   １０８：吸盤
１０８’吸引孔                     １０９：計測用窓
１１０：カバーのスライド方向       １１１：バキュームチューブ
１１２：バキューム接手             １１３：吸引通路
１１４：緩衝材                     １１５：計測用窓
１１６、１１７：嵌合部             １１８：吸着防振盤
１１９：カバー                     １２０：カバー
１２１：一体のカバー               １２２：フットスイッチ
１２３：空間伝搬路
【図１】
2008302233.tif 000003
【図２】
2008302233.tif 000004
【図３】
2008302233.tif 000005
【図４】
2008302233.tif 000006
【図５】
2008302233.tif 000007
【図６】
2008302233.tif 000008
【図７】
2008302233.tif 000009
【図８】
2008302233.tif 000010
【図９】
2008302233.tif 000011
【図１０】
2008302233.tif 000012
【図１１】
2008302233.tif 000013
【図１２】
2008302233.tif 000014
【図１３】
2008302233.tif 000015
【図１４】
2008302233.tif 000016
【図１５】
2008302233.tif 000017
【図１６】
2008302233.tif 000018
【図１７】
2008302233.tif 000019
【図１８】
2008302233.tif 000020
【図１９】
2008302233.tif 000021
【図２０】
2008302233.tif 000022
【図２１】
2008302233.tif 000023
【図２２】
2008302233.tif 000024
【図２３】
2008302233.tif 000025
【図２４】
2008302233.tif 000026
【図２５】
2008302233.tif 000027
【図２６】
2008302233.tif 000028
【図２７】
2008302233.tif 000029
【図２８】
2008302233.tif 000030
【図２９】
2008302233.tif 000031
【図３０】
2008302233.tif 000032
【図３１】
2008302233.tif 000033
【図３２】
2008302233.tif 000034
【図３３】
2008302233.tif 000035
【図３４】
2008302233.tif 000036
【図３５】
2008302233.tif 000037
【図３６】
2008302233.tif 000038
【図３７】
2008302233.tif 000039
【図３８】
2008302233.tif 000040